(57)【要約】【課題】雨量にかかわらずスムーズな排水を行うことができるものとする。【解決手段】両端が開口する筒状であるとともに両端が夫々竪樋２との接続部１１，１２となっており、その内周面には内周方向への突出量が軸方向中央部で最も大きく、両端に向かうにつれて内周方向への突出量が漸次小さくなるスロート部１４を備えている【選択図】図１
2015068103.tif 000002
【特許請求の範囲】
【請求項１】
両端が開口する筒状であるとともに両端が夫々竪樋との接続部となっており、その内周面には内周方向への突出量が軸方向中央部で最も大きく、両端に向かうにつれて内周方向への突出量が漸次小さくなるスロート部を備えていることを特徴とする竪樋用継手。
【請求項２】
上記スロート部は、複数の軸方向溝によって周方向において複数の片に分断されていることを特徴とする請求項１記載の竪樋用継手。
【請求項３】
上記各片は、軸方向両端ほど細く且つ内周側ほど細くなっていることを特徴とする請求項２記載の竪樋用継手。
【発明の詳細な説明】
【技術分野】
【０００１】
本発明は、竪樋の接続に用いられる竪樋用継手に関するものである。
【背景技術】
【０００２】
住宅における雨樋は、一般に、屋根から流れ落ちる雨水を受ける軒樋と、集水器や呼び樋を介して軒樋に繋げられる竪樋とで構成されるが、近年、デザイン上の観点から、細めの軒樋及び竪樋が用いられることが多い。
【０００３】
しかし、細めの雨樋であると、大雨の時には排水しきれずに溢れてしまうことが生じる。
【０００４】
このために、サイフォンの原理を利用して単位時間当たりの排水量を増加させることで、細めの雨樋でも大雨時の雨水を好適に排水できるようにしたものが提案されている（特許文献１）。
【０００５】
これは竪樋を上下に接続するための竪樋用継手の内周面に、弾性を有する張出板を設けて、この張出板の中央部に、竪樋の内径よりも小さい内径の開口部を設けたものである。
【０００６】
流路面積を減少させるオリフィスを構成する上記張出板は、一定流量以上の雨水が竪樋に流入した際、抵抗となってその上方に雨水の滞留を生じさせる。そして滞留した雨水から作用する圧力（雨水の自重）がオリフィスによる抵抗力を上回れば、滞留した雨水がオリフィスを急激に流下することでオリフィスの下方側に負圧を生じさせる。この結果、オリフィスを流下する雨水の流速が増加するとともに、滞留した雨水は引っ張られて流下することになるために、単位時間当たりの流量が増大する。
【０００７】
しかし、雨量によっては、滞留した雨水が勢いよく流下する状態が間欠的に生じるために、雨水の流れが脈流となり、耳障りな騒音を生じることがある。
【先行技術文献】
【特許文献】
【０００８】
【特許文献１】特開２０１２−１４４８７０号公報
【発明の概要】
【発明が解決しようとする課題】
【０００９】
本発明は上記問題に鑑みてなされたもので、雨量にかかわらずスムーズな排水を行うことができる竪樋用継手を提供することを課題とする。
【課題を解決するための手段】
【００１０】
本発明にかかる竪樋用継手は、両端が開口する筒状であるとともに両端が夫々竪樋との接続部となっており、その内周面には内周方向への突出量が軸方向中央部で最も大きく、両端に向かうにつれて内周方向への突出量が漸次小さくなるスロート部を備えていることに特徴を有している。
【００１１】
上記スロート部は、複数の軸方向溝によって周方向において複数の片に分断されていてもよく、更には上記各片は、軸方向両端ほど細く且つ内周側ほど細くなっていることが好ましい。
【発明の効果】
【００１２】
本発明によれば、雨水の量がさほど多くない時にはスロート部がベンチュリとして機能して流速を早めるものであり、流路面積が小さくなっているスロート部の抵抗で上流側に雨水が滞留した時には、サイフォン効果を誘発して雨水を引っ張って流下させることができる。しかも、ベンチュリ効果で流速を増加させた時の流量は、サイフォン効果で増大した大流量時の流量との差が小さく、脈流の変化を小さくすることができる。このために雨量にかかわらずスムーズな排水を行うことができるとともに、脈流による騒音も抑えることができる。
【図面の簡単な説明】
【００１３】
【図１】本発明の一実施例の破断正面図である。
【図２】(a)は同上の斜視図、(b)は破断斜視図である。
【図３】同上の他例の平面図である。
【図４】別の実施例を示すもので、(a)は斜視図、(b)は破断斜視図である。
【図５】同上の平面図である。
【発明を実施するための形態】
【００１４】
以下、本発明を図示実施例に基づいて詳述すると、図１及び図２に示すように、両端が開口する円筒状の継手１は、その軸方向中央部の外周面に鍔部１０を有している。この鍔部１０の両端側の外周面が、夫々竪樋２，２の内周側に嵌り込んで竪樋２と接続される接続部１１，１２となっている。
【００１５】
継手１の内周面は、軸方向両端縁がテーパーエッジ１３，１３となっており、両テーパーエッジ１３，１３間は、内周方向への突出量が軸方向中央部で最も大きく、両端に向かうにつれて内周方向への突出量が漸次小さくなるスロート部１４となっている。竪樋２における流路面積よりも、継手１におけるスロート部１４の流路面積が小さいために、スロート部はベンチュリとして機能することになる。
【００１６】
継手１の両端に竪樋２，２を接続し、雨水を竪樋２に流した時、雨水は竪樋２の内周面に沿って流下し、継手１のスロート部１４ではスロート部の膨らみに沿って流れる。この雨水の量が多くなれば、スロート部１４を通過する時に流路面積が狭くなっていることから、スロート部１４がベンチュリとして機能し、雨水の流速を早める。
【００１７】
そして流下する雨水の量が更に多くなって、流路面積の減少による抵抗のために、スロート部１４の上方に雨水が滞留し、その量が多くなって上記抵抗に滞留雨水の自重が勝れば、滞留雨水はスロート部１４を一気に流下するとともに、竪樋２から継手１に流れる雨水を引き込むために、サイフォン効果を得ることができる。従って、雨水はスロート部１４が存在していない場合に比して、単位時間当たりの流量が多くなる。
【００１８】
また、スロート部１４より上方側に雨水が滞留する状態でなくなっても、ベンチュリとして機能するスロート部１４は雨水の流速を早めて下流側に流すために、継手１よりも下流側における雨水の流れに脈流が生じるものの、その流量変化は前記従来例の場合に比して、小さく、脈流による騒音の発生も少ない。
【００１９】
スロート部１４は竪樋２や継手１の外周面と同心であるものを好適に用いることができるが、図３に示すように、外周面に対して偏心した状態で設けられていてもよい。
【００２０】
図４及び図５に他の実施例を示す。これは上記実施例におけるスロート部１４を、複数の軸方向溝１５によって周方向において複数の片に分断したものを示している。なお、スロート部１４の各片は、軸方向両端ほど細く且つ内周側ほど細くなっている。
【００２１】
この場合、上記の片の形状が軸方向両端ほど漸次細くなっているために、ベンチュリとしての効果が、スロート部１４の内周側だけでなく、各片の両側面においても得ることができる。このために、ベンチュリとしての効果を利用して流速を早めて流す雨水の量を多くすることができるために、スロート部１４上に滞留した雨水をサイフォン効果を利用して流す時と、ベンチュリ効果を利用して流す時の流量差を更に小さくすることができる。
【００２２】
脈流の流量変化を前記実施例のものよりも小さくすることができることから、よりスムーズな排水を行うことができる。
【００２３】
なお、この継手１は、できるだけ軒樋に近いところに配置することが好ましい。このために、軒樋から集水器、エルボ、呼び樋、エルボ、竪樋の順に接続される場合、エルボと竪樋との間に配置してもよい。集水器に竪樋を直に接続する場合は、集水器と竪樋との間に配置してもよい。つまりは上流側の接続部１１を竪樋２にではなく、エルボや集水器に接続するのである。このために、接続部１１の接続相手は竪樋に限定されるものではない。
【００２４】
また、上流側の接続部１１は、竪樋２（あるいはエルボや集水器）内に差し込まれる形で接続されることが好ましい。テーパーエッジ１３や流路面積が緩やかに変換するスロート部１４による雨水の流れを円滑なものとすることができる。また、接続部１２も下流側の竪樋２内に差し込まれて接続されるものとすることで、継手１の存在を目立たなくすることができる。
【符号の説明】
【００２５】
１  継手
２  竪樋
１０  鍔部
１１  接続部
１２  接続部
１３  テーパーエッジ
１４  スロート部
【図１】
2015068103.tif 000003
【図２】
2015068103.tif 000004
【図３】
2015068103.tif 000005
【図４】
2015068103.tif 000006
【図５】
2015068103.tif 000007